(57)【特許請求の範囲】
【請求項１】
支軸を有するケースと、
前記支軸に一端を支持される円柱部材と、
前記円柱部材を回転軸として回転可能に支持され、キープレートを保持する回転部材と、
前記回転部材に一端が取り付けられて前記回転部材の回転方向に弾性力を生じるばねと、
前記円柱部材の前記一端と対向する他端を支持する孔と、前記ばねの他端が取り付けられる取付部とを有し、前記ケースに嵌め合わされることで、前記ばねが前記回転部材との間に弾性力を生じた状態で前記回転部材を前記ケースと挟みこんで支持する支持部材とを有し、
前記ケースは、凹部又は凸部を有し、
前記支持部材は、前記ケースの前記凹部又は凸部に対応した凸部又は凹部を有し、
前記支持部材の前記凸部又は凹部と、前記ケースの前記凹部又は凸部とを弾性力を利用して嵌め合わせた後に、前記支持部材が前記ケースに締結固定されることを特徴とするキーユニット。
【請求項２】
前記ケースはネジ穴を有し、
前記支持部材は、ネジ貫通孔を有し、前記ケースと嵌め合わされた状態で、前記ケースの前記ネジ穴に、前記ネジ貫通孔を貫通するネジによって締結固定されることを特徴とする請求項１に記載のキーユニット。
【請求項３】
ケースに設けられた支軸に円柱部材の一端を配置する工程と、
キープレートを保持する回転部材を前記円柱部材に前記円柱部材の軸方向から嵌め合わせる工程と、
前記円柱部材の前記一端と対向する他端を支持する孔と、ばねの一端が取り付けられる取付部とを有する支持部材を、前記孔を前記円柱部材に嵌め合わせるとともに前記ばねの一端を前記取付部に取り付けて他端を前記回転部材に取り付けて、前記支持部材に設けられた凸部又は凹部を、前記円柱部材の軸方向から前記ケースに設けられた凹部又は凸部に弾性力を利用して嵌め合わせる工程と、
前記支持部材と前記ケースとを締結固定する工程とを有するキーユニットの組立方法。
【発明の詳細な説明】
【技術分野】
【０００１】
本発明は、キープレートがケースに回転可能に支持されるキーユニット及びキーユニットの組立方法に関する。
【背景技術】
【０００２】
従来、キープレートがケースに回転可能に支持されるキーユニットがある（例えば、特許文献１参照）。このキーユニットは、軸穴を有するキーヘッドと一体に成形されるキープレートと、キーヘッドの軸穴に嵌め合わされて支軸となる円筒形状のボタンと、ボタンを支持するロワケースと、キーヘッドに嵌め合わされたボタンをキーヘッドともにロワケースに対して挟んで支持する支持部材と、キーヘッドと支持部材との間に設けられて両者間に弾性力を発生させるねじりばねとを備える。
【０００３】
このキーユニットによれば、キーヘッドに係り合って自然な状態にあるねじりばねを支持部材に係り合わせる係り位置と、ねじりばねに弾性力を発揮させる位置に所定量回転させた締結位置とが設定され、締結位置の支持部材に当接する位置決め規制部がロワケースに設けられ、位置決め規制部に当接した状態の支持部材がロワケースにねじ等により締結される。このため、ねじりばねに発生する弾性力を意識することなく、キープレートがケースに回転可能に支持されるよう容易に組み付けることができる。
【先行技術文献】
【特許文献】
【０００４】
【特許文献１】特開２００７−２５５０１４号公報
【発明の概要】
【発明が解決しようとする課題】
【０００５】
しかし、特許文献１に示すキーユニットは、ねじ等により支持部材をロワケースに締結する作業を行うとき、支持部材にはねじりばねにより弾性力が加わっているため、支持部材が係り位置に戻されないよう組立者等が締結位置に維持し続ける必要があった。
【０００６】
従って、本発明の目的は、部品を組み付け位置に維持させない弾性力が部品間に発生する場合であっても、容易に組み付けることができるキーユニット及びキーユニットの組立方法を提供する。
【課題を解決するための手段】
【０００７】
本発明の一態様は、支軸を有するケースと、前記支軸に一端を支持される円柱部材と、前記円柱部材を回転軸として回転可能に支持され、キープレートを保持する回転部材と、前記回転部材に一端が取り付けられて前記回転部材の回転方向に弾性力を生じるばねと、前記円柱部材の前記一端と対向する他端を支持する孔と、前記ばねの他端が取り付けられる取付部とを有し、前記ケースに嵌め合わされることで、前記ばねが前記回転部材との間に弾性力を生じた状態で前記回転部材を前記ケースと挟みこんで支持する支持部材とを有し、前記ケースは、凹部又は凸部を有し、前記支持部材は、前記ケースの前記凹部又は凸部に対応した凸部又は凹部を有し、前記支持部材の前記凸部又は凹部と、前記ケースの前記凹部又は凸部とを弾性力を利用して嵌め合わせた後に、前記支持部材が前記ケースに締結固定されることを特徴とするキーユニットを提供する。
【０００９】
また、上記キーユニットの前記ケースはネジ穴を有し、前記支持部材は、ネジ貫通孔を有し、前記ケースと嵌め合わされた状態で、前記ケースの前記ネジ穴に、前記ネジ貫通孔を貫通するネジによって締結固定されてもよい。
【００１０】
また、本発明の一態様は、ケースに設けられた支軸に円柱部材の一端を配置する工程と、キープレートを保持する回転部材を前記円柱部材に前記円柱部材の軸方向から嵌め合わせる工程と、前記円柱部材の前記一端と対向する他端を支持する孔と、ばねの一端が取り付けられる取付部とを有する支持部材を、前記孔を前記円柱部材に嵌め合わせるとともに前記ばねの一端を前記取付部に取り付けて他端を前記回転部材に取り付けて、前記支持部材に設けられた凸部又は凹部を、前記円柱部材の軸方向から前記ケースに設けられた凹部又は凸部に弾性力を利用して嵌め合わせる工程と、前記支持部材と前記ケースとを締結固定する工程とを有するキーユニットの組立方法を提供する。
【発明の効果】
【００１１】
本発明によれば、部品を組み付け位置に維持させない弾性力が部品間に発生する場合であっても、容易に組み付けることができる。
【図面の簡単な説明】
【００１２】
【図１】図１（ａ）及び（ｂ）は、本発明の実施の形態に係るキーユニットを示す平面図である。
【図２】図２は、本発明の実施の形態に係るキーユニットの構成を示す分解斜視図である。
【図３】図３（ａ）は、本発明の実施の形態に係るキーユニットの構成を示す分解斜視図であり、図３（ｂ）は、一部拡大斜視図である。
【図４】図４（ａ）及び（ｂ）は、本発明の実施の形態に係るキーユニットのリリースボタン及び回転部材の動作を示す拡大斜視図である。
【発明を実施するための形態】
【００１３】
（キーユニットの構成）
図１（ａ）及び（ｂ）は、本発明の実施の形態に係るキーユニットを示す平面図である。図１（ａ）は、キープレート収納時、図１（ｂ）は、キープレート突出時のキーユニットを示す。
【００１４】
このキーユニット１は、車両のドアロックの施錠又は開錠及びエンジンの始動等に用いられる鍵であって、アッパーケース１０とロワケース１１（図２）とから構成され、通常使用時は、図１（ａ）に示すように、中空のキープレート収容部１１ａに金属製のキープレート２を収容する。通常使用時には、キーユニット１に内蔵された後述するキーレスモジュール７（図２）によってキープレート２を用いずに無線で車両のドアロックの施錠又は開錠等を指示する信号を車両に対して送信する。
【００１５】
また、キーユニット１は、キーレスモジュール７が電池切れ等で動作しない場合に、図１（ｂ）に示すように、キープレート２がキーユニット１から突出した状態で、車両の操向ハンドルのロック及びロック解除を切り替えるシリンダ錠のキー穴に挿入される。
【００１６】
アッパーケース１０は、キープレート２をリリースし、図１（ａ）の状態から図１（ｂ）の状態へとＡ方向に回転させるためのリリースボタン３と、キーホルダ等を取り付けるためのホルダリング１０ａと、キーレスモジュール７にキーレスで車両を施錠させる施錠ボタン７０と、キーレスで車両を開錠させる開錠ボタン７１とを有する。アッパーケース１０及びロワケース１１は、ＡＢＳ樹脂等の合成樹脂から形成される。
【００１７】
キープレート２は、例えば、内溝のキー溝が施されており、後述するスプリング４０（図３）によって図１（ｂ）に示すＡ方向に弾性力を与えられている。
【００１８】
図２は、本発明の実施の形態に係るキーユニットの構成を示す分解斜視図である。
【００１９】
キーユニット１は、ロワケース１１の図示しない凹部又は凸部にアッパーケース１０の図示しない凸部又は凹部が嵌め合わされることでロワケース１１とアッパーケース１０が一体とされて構成される。ロワケース１１は、キーレスモジュール収容部１１ｂ（図３（ａ））にキーレスモジュール７を収容し、回転部材収容部１１ｃ（図３（ａ））に支持部材５とともにキープレート２が取り付けられた回転部材４を回転可能に支持する。支持部材５は、側面に設けられた後述する凸部をロワケース１１の対応する面に設けられた凹部に嵌め合わせた後、更にネジ６によってロワケース１１に締結される。
【００２０】
キーレスモジュール７は、内蔵された電池によって動作し、施錠ボタン７０又は開錠ボタン７１の操作に応じて施錠信号又は開錠信号及び識別情報を含む信号を生成し、内蔵されたアンテナを介して車両に備えられた受信装置に無線で送信する。車両に備えられた受信装置は、受信した信号から施錠信号又は開錠信号及び識別情報を含む信号を認識し、識別情報が登録された識別情報と一致する場合に施錠信号又は開錠信号に応じて車両のドアロック等の施錠又は開錠を実行する。
【００２１】
図３（ａ）は、本発明の実施の形態に係るキーユニットの構成を示す分解斜視図であり、図３（ｂ）は、一部拡大斜視図である。
【００２２】
ロワケース１１は、キープレート収容部１１ａと、キーレスモジュール７を収容するキーレスモジュール収容部１１ｂと、回転部材収容部１１ｃとを有する。回転部材収容部１１ｃは、底面に支軸１１０とネジ穴１１３とを有し、側面に凹部１１１と凹部１１２とを有する。
【００２３】
リリースボタン３は、回転部材収容部１１ｃの支軸１１０の規制孔１１０ａに規制凸部３ａの位置を合わせて嵌め込まれ、スプリング３０によってロワケース１１から離反させる側に弾性力が加えられる。スプリング３０は、一般的なコイルばねや円錐コイルばね等を用いることができる。
【００２４】
リリースボタン３の円筒部は、回転部材４の支持孔４ａ及び支持部材５の支持孔５ａを貫通して外部に露出する。規制凸部３ａは、支軸１１０の規制孔１１０ａに嵌め込まれるとともに、回転部材４の裏面に設けられた凹部４ｃ（図４）に、キープレート２がキーユニット１から突出した状態及びキープレート収容部１１ａに収容された状態でそれぞれ嵌め込まれ、回転を制限される。リリースボタン３は、ＡＢＳ樹脂等で形成される。
【００２５】
回転部材４は、金属製でダイカストにより形成され、キープレート２の一端が差し込まれてピン穴４ｂ及びピン孔２ａにピン４１を差し込むことでキープレート２と一体化される。なお、キープレート２のキー溝の種類を個体毎に変更するためにキープレート２を別体にしているが、キープレート２と回転部材４とを一体成形してもよい。
【００２６】
ねじりばねであるスプリング４０の一端は、回転部材４の支持孔４ａ脇に設けられた溝に係り止めされ、他端は、支持部材５の裏面に設けられた溝（図示せず）に係り止めされる。スプリング４０は、キープレート２がキーユニット１から突出している状態でＡ方向に弾性力を生じ、キープレート２がキープレート収容部１１ａに収容されている状態に向かうに従って図１（ｂ）のＡ方向により強い弾性力を生じる。
【００２７】
支持部材５は、ＡＢＳ樹脂等で形成され、側面に凸部５０及び５１を有する。支持部材５の凸部５０及び５１は、回転部材４をロワケース１１に支持した状態で、ロワケース１１の回転部材収容部１１ｃを形成する面のうち側面に設けられた凹部１１１及び１１２にそれぞれ嵌め合わせられる。凸部５０及び５１と凹部１１１及び１１２とは、支持部材５とロワケース１１の素材による弾性力を利用して嵌め合わせられる。
【００２８】
ネジ６は、支持部材５とロワケース１１とを嵌め合わせた後、ネジ貫通孔５ｂを貫通してロワケース１１のネジ穴１１３に締結され、支持部材５をロワケース１１に固定する。
【００２９】
図４（ａ）及び（ｂ）は、本発明の実施の形態に係るキーユニット１のリリースボタン３及び回転部材４の動作を示す拡大斜視図である。
【００３０】
リリースボタン３の規制凸部３ａは、図４（ａ）に示すように、キープレート２がキーユニット１から突出した状態において回転部材４の支持孔４ａに設けられた凹部４ｃにスプリング３０の弾性力により嵌め込まれている。
【００３１】
図４（ｂ）に示すように、リリースボタン３をＢ方向に押し込むことで規制凸部３ａが規制孔１１０ａにはまり込み、回転部材４の支持孔４ａに設けられた凹部４ｃと規制凸部３ａとの嵌め合わせが解消されて、キープレート２を自由に回転させることができるようになる。
【００３２】
また、キープレート２がキープレート収容部１１ａに収容された状態においても、リリースボタン３の規制凸部３ａが回転部材４の回転を制限するように図示しない凹部が回転部材４に設けられる。この状態において、スプリング４０の弾性力は最も大きくなっており、リリースボタン３をＢ方向に押し込むことによって規制凸部３ａが回転部材４の回転の制限を解除すると、キープレート２がＡ方向に回転し、キープレート２が突出状態となる。
【００３３】
（実施の形態の効果）
上記した実施の形態によると、支持部材５に凸部５０及び５１を設け、ロワケース１１の凹部１１１及び１１２とそれぞれ嵌め合わせる構成としたため、スプリング４０によって部品を組み付け位置に維持させない弾性力が部品間に発生する場合であっても、組立者が弾性力を抑えるように維持することなく、ネジ６を締結することで部品を容易に組み付けることができる。
【００３４】
支持部材５は、ロワケース１１と嵌め合わされるものであれば凸部以外に凹部が設けられていても良いし、凸部又は凹部は単数又は複数であってもよい。このとき、ロワケース１１は、支持部材５の凸部又は凹部に対応して、また、その数に対応して凹部又は凸部を備える。
【００３５】
また、支持部材５とアッパーケース１０とを一体として形成してもよいし、アッパーケース１０に対してリリースボタン３、回転部材４及び支持部材５等を取り付ける構成としてもよい。
【００３６】
また、リリースボタン３は、必ずしも回転部材４の回転軸となる必要はなく、他の回転軸を用意して、回転部材４の凹部に嵌め合わされる凸部等の回転部材４の回転を制限する構造だけを有していてもよい。
【００３７】
また、支持部材５とロワケース１１とを締結するものであれば、ねじ６に限らずリベットやはとめ等を用いても良い。また、支持部材５側にネジ穴を、ロワケース１１にネジ貫通孔を設けて支持部材５とロワケース１１とを締結するものであってもよい。
【００３８】
なお、本発明は、上記した実施の形態に限定されず、本発明の技術思想を逸脱あるいは調整しない範囲内で種々の変形が可能である。
【符号の説明】
【００３９】
１…キーユニット
２…キープレート
２ａ…ピン孔
３…リリースボタン
３ａ…規制凸部
４…回転部材
４ａ…支持孔
４ｂ…ピン穴
４ｃ…凹部
５…支持部材
５ａ…支持孔
５ｂ…ネジ貫通孔
６…ネジ
７…キーレスモジュール
１０…アッパーケース
１０ａ…ホルダリング
１１…ロワケース
１１ａ…キープレート収容部
１１ｂ…キーレスモジュール収容部
１１ｃ…回転部材収容部
３０…スプリング
４０…スプリング
４１…ピン
５０…凸部
７０…施錠ボタン
７１…開錠ボタン
１１０…支軸
１１０ａ…規制孔
１１１…凹部
１１２…凹部
１１３…ネジ穴
【図１】
0005518581.tif 000002
【図２】
0005518581.tif 000003
【図３】
0005518581.tif 000004
【図４】
0005518581.tif 000005